【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
ネットワークに接続される一方、公衆回線に接続されるネットワーク通信端末装置であって、
前記ネットワークを介した所定形式のやりとりにより送信元装置から送信文書属性情報を伴う送信依頼文書データを受信する送信要求受信手段と、
前記ネットワークを介して接続された転送先装置に対して、当該転送先装置が備える能力、状態についての情報である機器情報の取得を所定形式で要求する転送先機器情報取得要求手段と、
その要求に応じて前記転送先装置から通知される機器情報と、前記送信文書属性情報とに少なくとも基づいて前記転送先装置に前記宛先装置への前記送信依頼文書データの送信を依頼するか否かを判断する転送決定手段と、
その転送決定手段により前記転送先装置に送信依頼すると決定された場合に、前記送信元装置から受信した前記送信依頼文書データを前記送信文書属性情報と共に所定形式で前記転送先装置に転送する送信文書転送手段とを備える一方、
前記ネットワークを介して接続された転送元装置からの所定形式での前記機器情報の取得の要求を受信する取得要求受信手段と、
その取得要求受信手段により前記機器情報の取得要求が受信されると、自装置が備える能力、状態についての情報を機器情報として所定形式で前記転送元装置に通知する機器情報通知手段と、
前記転送元装置から所定形式で転送される前記送信依頼文書データを、それに付随する送信文書属性情報により特定される宛先装置に前記公衆回線を介して送信する転送文書送信手段と
を備えたことを特徴とするネットワーク通信端末装置。
【請求項２】
前記転送決定手段は、前記送信文書属性情報と前記転送先装置から通知される機器情報とにより、前記転送先装置が前記送信依頼文書データの送信に対応していると判断した場合に、前記転送先装置に前記宛先装置への前記送信依頼文書データの送信を依頼すると決定するものであることを特徴とする請求項１に記載のネットワーク通信端末装置。
【請求項３】
前記転送決定手段は、前記送信文書属性情報と、自装置の機器情報とにより、自装置が前記送信依頼文書データの送信に対応していないと判断した場合であって、前記送信文書属性情報と前記転送先装置から通知される機器情報とにより、前記転送先装置が前記送信依頼文書データの送信に対応していると判断した場合に、前記転送先装置に前記宛先装置への前記送信依頼文書データの送信を依頼すると決定するものであることを特徴とする請求項１に記載のネットワーク通信端末装置。
【請求項４】
前記転送決定手段は、前記送信文書属性情報により指定された回線種別と、自装置の機器情報のうちの、自装置の収容する回線のうちのその指定された種別の回線の使用状況とにより、自装置が前記送信依頼文書データの送信に対応していないと判断した場合であって、前記送信文書属性情報により指定された回線種別と前記転送先装置から通知される機器情報のうちの使用可能回線種別の情報とにより、前記転送先装置が前記送信依頼文書データの送信に対応していると判断した場合に、前記転送先装置に前記宛先装置への前記送信依頼文書データの送信を依頼すると決定するものであることを特徴とする請求項１に記載のネットワーク通信端末装置。
【請求項５】
前記転送決定手段は、前記送信文書属性情報により指定された回線種別と、自装置の機器情報のうちの、自装置収容する回線の種別についての情報とにより、自装置が前記送信依頼文書データの送信に対応していないと判断した場合であって、前記送信文書属性情報により指定された回線種別と前記転送先装置から通知される機器情報のうちの使用可能回線種別の情報とにより、前記転送先装置が前記送信依頼文書データの送信に対応していると判断した場合に、前記転送先装置に前記宛先装置への前記送信依頼文書データの送信を依頼すると決定するものであることを特徴とする請求項１に記載のネットワーク通信端末装置。
【請求項６】
前記転送決定手段は、前記送信文書属性情報により指定された文書の種類がカラー文書であり、自装置の機器情報のうちの対応している文書の種類についての情報とにより、自装置が前記送信依頼文書データの送信に対応していないと判断した場合であって、前記送信文書属性情報により指定された文書の種類についての情報と前記転送先装置から通知される機器情報のうちの対応している文書の種類についての情報とにより、前記転送先装置が前記送信依頼文書データの送信に対応していると判断した場合に、前記転送先装置に前記宛先装置への前記送信依頼文書データの送信を依頼すると決定するものであることを特徴とする請求項１に記載のネットワーク通信端末装置。
【請求項７】
前記送信元装置、前記転送先装置または前記転送元装置との相互の情報のやりとりはＳＯＡＰプロトコルによるＸＭＬ文書のやりとりによるＷｅｂサービスインターフェイスにより行われることを特徴とする請求項１，２，３，４，５または６のいずれかに記載のネットワーク通信端末装置。
【手続補正２】
【補正対象書類名】明細書
【補正対象項目名】００１３
【補正方法】変更
【補正の内容】
【００１３】
【課題を解決するための手段】
請求項１に記載のネットワーク通信端末装置は、ネットワークに接続される一方、公衆回線に接続されるネットワーク通信端末装置であって、前記ネットワークを介した所定形式のやりとりにより送信元装置から送信文書属性情報を伴う送信依頼文書データを受信する送信要求受信手段と、前記ネットワークを介して接続された転送先装置に対して、当該転送先装置が備える能力、状態についての情報である機器情報の取得を所定形式で要求する転送先機器情報取得要求手段と、その要求に応じて前記転送先装置から通知される機器情報と、前記送信文書属性情報とに少なくとも基づいて前記転送先装置に前記宛先装置への前記送信依頼文書データの送信を依頼するか否かを判断する転送決定手段と、その転送決定手段により前記転送先装置に送信依頼すると決定された場合に、前記送信元装置から受信した前記送信依頼文書データを前記送信文書属性情報と共に所定形式で前記転送先装置に転送する送信文書転送手段とを備える一方、前記ネットワークを介して接続された転送元装置からの所定形式での前記機器情報の取得の要求を受信する取得要求受信手段と、その取得要求受信手段により前記機器情報の取得要求が受信されると、自装置が備える能力、状態についての情報を機器情報として所定形式で前記転送元装置に通知する機器情報通知手段と、前記転送元装置から所定形式で転送される前記送信依頼文書データを、それに付随する送信文書属性情報により特定される宛先装置に前記公衆回線を介して送信する転送文書送信手段とを備えたことを特徴とする。
【手続補正３】
【補正対象書類名】明細書
【補正対象項目名】００１４
【補正方法】変更
【補正の内容】
【００１４】
請求項２に記載のネットワーク通信端末装置は、請求項１に記載のネットワーク通信端末装置において、前記転送決定手段は、前記送信文書属性情報と前記転送先装置から通知される機器情報とにより、前記転送先装置が前記送信依頼文書データの送信に対応していると判断した場合に、前記転送先装置に前記宛先装置への前記送信依頼文書データの送信を依頼すると決定するものであることを特徴とする。
【手続補正４】
【補正対象書類名】明細書
【補正対象項目名】００１５
【補正方法】変更
【補正の内容】
【００１５】
請求項３に記載のネットワーク通信端末装置は、請求項１に記載のネットワーク通信端末装置において、前記転送決定手段は、前記送信文書属性情報と、自装置の機器情報とにより、自装置が前記送信依頼文書データの送信に対応していないと判断した場合であって、前記送信文書属性情報と前記転送先装置から通知される機器情報とにより、前記転送先装置が前記送信依頼文書データの送信に対応していると判断した場合に、前記転送先装置に前記宛先装置への前記送信依頼文書データの送信を依頼すると決定するものであることを特徴とする。
【手続補正５】
【補正対象書類名】明細書
【補正対象項目名】００１６
【補正方法】変更
【補正の内容】
【００１６】
請求項４に記載のネットワーク通信端末装置は、請求項１に記載のネットワーク通信端末装置において、前記転送決定手段は、前記送信文書属性情報により指定された回線種別と、自装置の機器情報のうちの、自装置の収容する回線のうちのその指定された種別の回線の使用状況とにより、自装置が前記送信依頼文書データの送信に対応していないと判断した場合であって、前記送信文書属性情報により指定された回線種別と前記転送先装置から通知される機器情報のうちの使用可能回線種別の情報とにより、前記転送先装置が前記送信依頼文書データの送信に対応していると判断した場合に、前記転送先装置に前記宛先装置への前記送信依頼文書データの送信を依頼すると決定するものであることを特徴とする。
【手続補正６】
【補正対象書類名】明細書
【補正対象項目名】００１７
【補正方法】変更
【補正の内容】
【００１７】
請求項５に記載のネットワーク通信端末装置は、請求項１に記載のネットワーク通信端末装置において、前記転送決定手段は、前記送信文書属性情報により指定された回線種別と、自装置の機器情報のうちの、自装置収容する回線の種別についての情報とにより、自装置が前記送信依頼文書データの送信に対応していないと判断した場合であって、前記送信文書属性情報により指定された回線種別と前記転送先装置から通知される機器情報のうちの使用可能回線種別の情報とにより、前記転送先装置が前記送信依頼文書データの送信に対応していると判断した場合に、前記転送先装置に前記宛先装置への前記送信依頼文書データの送信を依頼すると決定するものであることを特徴とする。
【手続補正７】
【補正対象書類名】明細書
【補正対象項目名】００１８
【補正方法】変更
【補正の内容】
【００１８】
請求項６に記載のネットワーク通信端末装置は、請求項１に記載のネットワーク通信端末装置において、前記転送決定手段は、前記送信文書属性情報により指定された文書の種類がカラー文書であり、自装置の機器情報のうちの対応している文書の種類についての情報とにより、自装置が前記送信依頼文書データの送信に対応していないと判断した場合であって、前記送信文書属性情報により指定された文書の種類についての情報と前記転送先装置から通知される機器情報のうちの対応している文書の種類についての情報とにより、前記転送先装置が前記送信依頼文書データの送信に対応していると判断した場合に、前記転送先装置に前記宛先装置への前記送信依頼文書データの送信を依頼すると決定するものであることを特徴とする。
【手続補正８】
【補正対象書類名】明細書
【補正対象項目名】００１９
【補正方法】変更
【補正の内容】
【００１９】
請求項７に記載のネットワーク通信端末装置は、請求項１，２，３，４，５または６のいずれかに記載のネットワーク通信端末装置において、前記送信元装置、前記転送先装置または前記転送元装置との相互の情報のやりとりはＳＯＡＰプロトコルによるＸＭＬ文書のやりとりによるＷｅｂサービスインターフェイスにより行われることを特徴とする。